(57)【要約】【課題】最小限の設置スペースで遊技者の肘を支持できるコンパクトで強度が高い安定した使い勝手の良い遊技機用肘掛けを提供する。【解決手段】本発明の遊技機用肘掛け１は、遊技機側の被固定部５０の縁部５０ａを上下から挟み込むように被固定部５０に着脱自在に取り付けられる装着部１０と、装着部１０に着脱自在に接続される接続部２３，２４と、遊技者の肘を支持する肘掛け部２１とを有する肘掛け本体２０と、装着部１０の一側面に回動可能に取り付けられて被固定部５０へ向けて延びるとともに、その先端支持部３３が被固定部５０の下面５０ｃに当て付くことにより肘掛け部２１に作用する下向きの力に抗する支持アーム３０とを備える。【選択図】図１
2011239874.tif 000002
【特許請求の範囲】
【請求項１】
遊技機側の被固定部の縁部を上下から挟み込むように前記被固定部に着脱自在に取り付けられる装着部と、
前記装着部に着脱自在に接続される接続部と、遊技者の肘を支持する肘掛け部とを有する肘掛け本体と、
前記装着部の一側に回動可能に取り付けられて前記被固定部へ向けて延びるとともに、その先端支持部が前記被固定部の下面に当て付くことにより前記肘掛け部に作用する下向きの力に抗する支持アームと、
を備えることを特徴とする遊技機用肘掛け。
【請求項２】
前記支持アームは、その先端支持部が前記肘掛け本体の幅方向の中心軸線上にほぼ位置されるように前記装着部の一側から前記肘掛け本体の幅方向内側へ向けて斜めに延びることを特徴とする請求項１に記載の遊技機用肘掛け。
【請求項３】
前記装着部に対する前記肘掛け本体の取り付け高さを調整するための高さ調整手段を更に備えることを特徴とする請求項１または請求項２に記載の遊技機用肘掛け。
【請求項４】
前記装着部が前記支持アームの回動を規制するための回動規制手段を有することを特徴とする請求項１ないし請求項３のいずれか１項に記載の遊技機用肘掛け。
【請求項５】
前記装着部が取り付けられる前記被固定部の装着面の段差を埋めて前記装着部の水平な取り付け姿勢を確保するためのスペーサ部材を更に含むことを特徴とする請求項１ないし請求項４のいずれか１項に記載の遊技機用肘掛け。
【発明の詳細な説明】
【技術分野】
【０００１】
本発明は、パチンコ機やスロットマシンなどの遊技機を操作する遊技者の腕、特に肘を支持するための遊技機用肘掛けに関する。
【背景技術】
【０００２】
パチンコ機などの遊技機では、一般に、遊技者は、着座したまま肘を浮かせた状態で腕をほぼ一定の位置に保持させつつ遊技に興じなければならず、そのため、遊技が長時間にわたる場合には腕の疲労を伴う。
【０００３】
そのため、例えば、特許文献１に開示されているように、遊技機を操作する遊技者の肘を支える遊技機用肘掛けを提供することにより、遊技者の腕の疲労を和らげようとしている。
【先行技術文献】
【特許文献】
【０００４】
【特許文献１】実用新案登録第３１５１７５４号
【発明の概要】
【発明が解決しようとする課題】
【０００５】
しかしながら、特許文献１に開示される遊技機用肘掛けは、遊技場の床から立ち上がる支柱の上端部にその一方から上方向へ傾斜する斜材を設け、この斜材に肘掛け部を形成するとともに、遊技機側の被固定部材に固定される固定部を支柱の上端部の他方に設けて成るため、高さ寸法および奥行き寸法が必然的に大きくなり、大きな設置スペースを必要とする。したがって、この肘掛け設備が遊技場において邪魔となる場合がある。特に、遊技場の清掃および遊技機のメンテナンス作業時にこの大掛かりな肘掛けが障害となって、清掃・メンテナンスの作業効率が悪化することもある。
【０００６】
更に、前記支柱を床にビス等によって固定する必要があることから、床に傷を付ける結果となり、また、支柱を撤去した後においては、ビスによる取り付け跡が床に残り、見栄えが悪くなるという問題もある。
【０００７】
本発明は、前記事情に着目してなされたものであり、その目的とするところは、最小限の設置スペースで遊技者の肘を支持できるコンパクトで強度が高い安定した使い勝手の良い遊技機用肘掛けを提供することにある。
【課題を解決するための手段】
【０００８】
前記課題を解決するために、請求項１に記載の遊技機用肘掛けは、遊技機側の被固定部の縁部を上下から挟み込むように前記被固定部に着脱自在に取り付けられる装着部と、前記装着部に着脱自在に接続される接続部と、遊技者の肘を支持する肘掛け部とを有する肘掛け本体と、前記装着部の一側に回動可能に取り付けられて前記被固定部へ向けて延びるとともに、その先端支持部が前記被固定部の下面に当て付くことにより前記肘掛け部に作用する下向きの力に抗する支持アームとを備えることを特徴とする。
【０００９】
この請求項１に記載の遊技機用肘掛けは、遊技機側の被固定部に装着される装着部と、この装着部から延びる肘掛け本体と、装着部から被固定部の下側で延びる支持アームとから構成され、したがって、これらの構成要素が被固定部の縁部付近にのみ集約されて配置されるため、最小限の設置スペースで遊技者の肘を支持できる。すなわち、設置スペースが最小限のコンパクトな構造であることから、この遊技機用肘掛けが、遊技場の清掃および遊技機のメンテナンス作業時に邪魔になることもなく、清掃・メンテナンスの作業効率に悪影響を及ぼすことがない。また、従来技術である特許文献１に開示されるような床に設置するための支柱を必要としないため、床を傷付けるという問題も生じない（遊技機用肘掛けを被固定部から取り外した際には目立った取り付け跡が残ることもなく、見栄えが悪くなるという従来の問題も解消できる）。
【００１０】
また、遊技機側の被固定部の縁部を上下から挟み込む装着部によって取り付け強度を確保するだけでなく、装着部に加えて、被固定部の下面に当て付いて肘掛け部に作用する下向きの力に抗する支持アームを設けたため、取り付け・支持強度が高い安定した肘掛けが提供される。特に、被固定部の装着面の段差等によって装着部が被固定部に安定して装着され難い場合でも、その不安定性を支持アームによる支持によって補償できる。また、支持アームが装着部に対して回動可能であるため、被固定部の形状にかかわらず被固定部の下面の適切な位置に支持アームの先端支持部を当て付けることができ、安定した支持形態を確実に実現できる。
【００１１】
さらに、前記支持アームは、装着部の一側に偏って回動可能に支持されているため、支持アームが装着部の他方側に位置する遊技者の邪魔になることがない。また、前記装着部が被固定部に対して着脱自在であるだけでなく、装着部に対して肘掛け本体も着脱自在となっているため、使い勝手が良い。
【００１２】
また、請求項２に記載の遊技機用肘掛けは、請求項１に記載の遊技機用肘掛けにおいて、前記支持アームは、その先端支持部が前記肘掛け本体の幅方向の中心軸線上にほぼ位置されるように前記装着部の一側から前記肘掛け本体の幅方向内側へ向けて斜めに延びることを特徴とする。
【００１３】
この請求項２に記載の遊技機用肘掛けによれば、請求項１に記載の遊技機用肘掛けと同様の作用効果が得られるとともに、支持アームが肘掛け本体の幅方向のほぼ中心軸線上で該肘掛け本体を支えるため、より安定した支持形態を実現できる。
【００１４】
また、請求項３に記載の遊技機用肘掛けは、請求項１または請求項２に記載の遊技機用肘掛けにおいて、前記装着部に対する前記肘掛け本体の取り付け高さを調整するための高さ調整手段を更に備えることを特徴とする。
【００１５】
この請求項３に記載の遊技機用肘掛けによれば、請求項１または請求項２に記載の遊技機用肘掛けと同様の作用効果が得られるとともに、装着部に対する肘掛け本体の取り付け高さを調整できるため、遊技者の体格や被固定部の高さに応じた適切な位置に肘掛け本体を設置することができる。
【００１６】
また、請求項４に記載の遊技機用肘掛けは、請求項１ないし請求項３のいずれか１項に記載の遊技機用肘掛けにおいて、前記装着部が前記支持アームの回動を規制するための回動規制手段を有することを特徴とする。
【００１７】
この請求項４に記載の遊技機用肘掛けによれば、請求項１ないし請求項３のいずれか１項に記載の遊技機用肘掛けと同様の作用効果が得られるとともに、装着部が支持アームの回動を規制するための回動規制手段を有するため、万が一被固定部に対する装着部の装着状態が不安定となった場合でも、回動規制手段による装着部と支持アームとの相対的な回動規制により支持アームの支持形態が前記補償効果と相まって維持され、装着部と支持アームとが規制無く相対的に回動することにより装着部が被固定部から支持アームと共に脱落してしまうことを回避できる。
【００１８】
また、請求項５に記載の遊技機用肘掛けは、請求項１ないし請求項４のいずれか１項に記載の遊技機用肘掛けにおいて、前記装着部が取り付けられる前記被固定部の装着面の段差を埋めて前記装着部の水平な取り付け姿勢を確保するためのスペーサ部材を更に含むことを特徴とする。
【００１９】
この請求項５に記載の遊技機用肘掛けによれば、請求項１ないし請求項４のいずれか１項に記載の遊技機用肘掛けと同様の作用効果が得られるとともに、前記スペーサ部材によって被固定部の装着面を水平面へと強制的に切り替えることができるため、被固定部に対して装着部を安定して装着することができる。
【発明の効果】
【００２０】
本発明によれば、最小限の設置スペースで遊技者の肘を支持できるコンパクトで強度が高い安定した使い勝手の良い遊技機用肘掛けを提供できる。
【図面の簡単な説明】
【００２１】
【図１】本発明の一実施形態に係る遊技機用肘掛けを遊技機側の被固定部に設置した状態を示す斜視図である。
【図２】（ａ）は図１の遊技機用肘掛けの側面図、（ｂ）は遊技機用肘掛けを支持アームの延在方向と反対の側（矢印Ａと反対側）から見た背面図、（ｃ）は遊技機用肘掛けの平面図である。
【図３】図２の（ａ）のＡ方向矢視図である。
【図４】段差を有する被固定部の装着面にスペーサ部材を設置して、被固定部に対する装着部の安定的な装着を確保した状態を示す側面図（被固定部のみ断面図）である。
【発明を実施するための形態】
【００２２】
以下、添付図面を参照して、本発明に係る遊技機用肘掛けについて具体的に説明する。
図１は、本発明の一実施形態に係る遊技機用肘掛け１を例えば遊技機（パチンコ機やスロットマシンなど）が設置された遊技台などの遊技機側の被固定部５０に対して取り付けた状態を示している。この場合、被固定部５０は、いわゆる遊技者が、遊技媒体を収容する収容体を載置したり、小物などを載置する部分（テーブル）であり、所定の肉厚を備えている。また、その先端には、遊技媒体の落下を防止するように、突起５２が形成されている。
【００２３】
図示のように、本実施形態の遊技機用肘掛け１は、前記被固定部５０に着脱自在に取り付けられる装着部１０と、装着部１０に対して着脱自在に接続される肘掛け本体２０と、装着部１０の一側に回動可能に取り付けられて被固定部５０へ向けて延びる支持アーム３０とを備える。
【００２４】
前記装着部１０は、被固定部５０の縁部５０ａを上下から挟み込むように前記被固定部に着脱自在に取り付けられる断面が略コの字状の挟持体１６と、挟持体１６を保持する保持体１７とから成る。
【００２５】
前記挟持体１６は、被固定部５０の上面５０ｂに当て付く上側挟持部１６ａと、被固定部５０の下面５０ｃに当て付く下側挟持部１６ｂと、これらの挟持部１６ａ，１６ｂを一端側で繋ぐ連結部１６ｃとから構成されている。そして、前記挟持部１６ａ，１６ｂ間で被固定部５０の縁部５０ａを挟持した状態で、下側挟持部１６ｂに形成された２つのネジ穴に螺合される取り付けネジ７９を締め込むことにより、前記挟持体１６は、被固定部５０の縁部５０ａに固定される（装着部１０が被固定部５０の縁部５０ａに取り付けられる）。なお、取り付けネジ７９は、１つであっても良いし、手で回転操作できるように、操作レバーが形成されたものであっても良い。
【００２６】
また、前記挟持体１６を保持する保持体１７は、挟持体１６の連結部１６ｃの左右（幅方向の）両端部付近に溶接等によって固着され、且つこれらの両端部付近から挟持部１６ａ，１６ｂと反対側へ向けて互いに略平行に延びる一対の側面１７ｄ（特に、図２の（ｃ）参照）と、これらの側面１７ｄ，１７ｄ同士を繋ぐとともに挟持体１６の連結部１６ｃと対向して連結部１６ｃとの間に肘掛け本体２０の取り付けスペース（空隙）を確保する背面１７ｃと、側面１７ｄ，１７ｄの上下両端部から挟持部１６ａ，１６ｂ側へ向けて延びて挟持部１６ａ，１６ｂを上下から挟み込むように支持する支持片１７ａ，１７ｂと、を有する。そして、一方の側面１７ｄから側方（幅方向）に突出する連結部１６ｃの突出部位９３（図１、及び図２の（ｃ）参照）は、支持アーム３０の回動を規制する後述する回動規制手段として機能するようになっている。
【００２７】
なお、保持体１７の背面１７ｃには、後述するように、装着部１０に対する肘掛け本体２０の取り付け高さを調整するための止めネジ（高さ調整手段）７０が押し付けられる高さ調整穴（高さ調整手段；例えば、止まり穴）８３が、上下方向に所定の間隔を隔てて複数（本実施形態では、図３に示すように３つ）設けられている。なお、高さ調整手段は、止めネジ７０が押し付けられるのではなく、捩じ込まれるように、雌螺子が形成された貫通孔であっても良い。
【００２８】
前記肘掛け本体２０は、装着部１０に対して着脱自在に接続される接続部と、遊技者の肘９８を支持する肘掛け部２１とを有する。前記接続部は、装着部１０の保持体１７に直接に接続される接続部材２４と、接続部材２４に対して、左右一対の固定螺子７２によって接続部材２４の表面との間で隙間をおいて垂下するように取り付けられる係止片２３とを備えている。この係止片２３は、背面１７ｃに対して上方から差し込むようにすることで、接続部材２４との間で背面１７ｃを挟持する状態となる。なお、この挟持状態では、前記係止片２３は、保持体１７の前述した取り付けスペース内に入り込むようになっている。
【００２９】
また、接続部材２４には、上記したように、止めネジ（高さ調整手段）７０が設けられており、この止めネジ７０を、保持体１７の背面１７ｃに、上下方向に沿って形成された複数の高さ調整穴８３のいずれかに押し付けることで、装着部１０に対する肘掛け本体２０の取り付け高さを調整することが可能となる。
【００３０】
また、前記接続部を構成する接続部材２４には、被固定部５０から離れるように延在する取り付け部２４ａが形成されており、この表面に肘が載置される肘掛け部２１の底面が固定ネジ８０を介して取り付けられるようになっている。なお、取り付け部２４ａは、肘掛け部２１を載置して固定する部分であることから、図に示すように、肘掛け部２１の面積よりも小さくても良い。
【００３１】
一方、支持アーム３０は、装着部１０の一側、具体的には、保持体１７の一方側の側面１７ｄに、枢軸３５を介して回動可能に取り付けられている。この場合、支持アーム３０は、後述する支持アーム３０の先端支持部３３が、被固定部５０の裏面に当て付く方向に回動できるように支持されている。本実施形態において、支持アーム３０は、保持体１７に対して回動可能に取り付けられる板状の結合部３４と、結合部３４の下端から肘掛け部２１と反対側に延びるとともに屈曲部３２を介して上方へ折れ曲がる円柱状のアーム本体３１と、アーム本体３１の折れ曲がり先端部に設けられる先端支持部３３とから成り、先端支持部３３が被固定部５０の下面５０ｃに当て付くことにより、肘掛け部２１に作用する下向きの力（遊技者の肘９８から受ける押圧力）に抗するようになっている。
【００３２】
また、本実施形態の特徴的な形態として、支持アーム３０のアーム本体３１は、図２の（ｃ）に示されるように、その先端支持部３３の当接部分Ｏが、肘掛け本体２０の幅方向（Ｗ）の中心軸線Ｌ上にほぼ位置されるように装着部１０の一側から肘掛け本体２０の幅方向内側へ向けて斜めに延びている。また、支持アーム３０は、結合部３４が前述した装着部１０の挟持体１６の連結部１６ｃの突出部位９３に当接することで、その回動が規制されるようになっており（図４の一点鎖線参照）、これにより、万が一被固定部５０に対する装着部１０の装着状態が不安定となった場合でも、装着部１０と支持アーム３０との相対的な回動規制により支持アーム３０の支持形態が維持されるようになっている。
【００３３】
以上説明したように、本実施形態の遊技機用肘掛け１は、それを構成する遊技機側の被固定部５０に装着される装着部１０と、この装着部１０から延びる肘掛け本体２０と、装着部１０から被固定部５０の下側で延びる支持アーム３０が、被固定部５０の縁部５０ａ付近にのみ集約されて配置されるため、最小限の設置スペースで遊技者の肘９８を支持できる。また、設置スペースが最小限のコンパクトな構造であることから、この遊技機用肘掛けが遊技場の清掃および遊技機のメンテナンス作業時に邪魔になることもなく、清掃・メンテナンスの作業効率に悪影響を及ぼすこともない。
【００３４】
また、遊技機側の被固定部５０の縁部５０ａを上下から挟み込む装着部１０によって取り付け強度を確保するだけでなく、装着部１０に加えて、被固定部５０の下面に当て付いて肘掛け部２１に作用する下向きの力に抗する支持アーム３０を更に設けたため、取り付け・支持強度が高い安定した肘掛けを提供できる。特に、被固定部５０の装着面の突起５２（例えば、テーブルからの遊技球の脱落を防止するための段差）等によって装着部１０が被固定部５０に安定して装着され難い場合でも、その不安定性を支持アーム３０による支持によって補償することが可能となる。
【００３５】
また、支持アーム３０が装着部１０に対して回動可能であるため、被固定部５０の形状にかかわらず被固定部５０の下面の適切な位置に支持アーム３０の先端支持部３３を当て付けることができ、安定した支持形態を確実に実現できる。そして、前記支持アーム３０は、装着部１０の一方の側部に回動可能に支持されているため、支持アーム３０が、装着部１０の他方側に位置する遊技者の邪魔になることもない。つまり、本実施形態では、支持アーム３０が、装着部１０の側部に設けられているため、図１に示されるように、遊技機に対面して座る遊技者の脚（膝など）９５が、支持アーム３０と干渉することが無いため、遊技者を邪魔することもない。更に、本実施形態の構成では、装着部１０が被固定部５０に対して着脱自在であるだけでなく、装着部１０に対して肘掛け本体２０も着脱自在であるため、必要に応じて取り外しができ、使い勝手が良好となる。
【００３６】
また、本実施形態によれば、支持アーム３０が、肘掛け本体２０の幅方向Ｗのほぼ中心軸Ｌ線上で肘掛け本体２０を支える構造であるため、より安定した支持形態を実現できる。また、本実施形態によれば、高さ調整手段７０により、装着部１０に対する肘掛け本体２０の取り付け高さを調整できるため、遊技者の体格や被固定部の高さに応じた適切な位置に肘掛け本体２０を設置することができる。
【００３７】
更に、本実施形態によれば、装着部１０が支持アーム３０の回動を規制するための回動規制手段９３を有するため、たとえ被固定部５０に対する装着部１０の装着状態が不安定となった場合でも、回動規制手段９３による装着部１０と支持アーム３０との相対的な回動規制により、支持アーム３０の支持形態が前記補償効果と相まって維持されるようになる。具体的には、このような回動規制手段が無ければ、装着部１０と支持アーム３０とが規制無く相対的に回動するため、装着部１０が、被固定部５０から支持アーム３０と共に脱落することもありえるが、結合部３４が回動規制手段９３に当て付くようにしたことで、支持アーム３０の支持が不安定になることもない。
【００３８】
なお、装着部１０の装着不安定性に関しては、支持アーム３０がかなりの程度まで補償できるが、装着部１０が取り付けられる被固定部５０の前端に突起５２が形成されていると、挟持体１６の上側挟持部１６ａとの間に隙間が生じてしまい、装着不安定になることも有り得る。このため、そのような突起５２と、被固定部５０の上面５０ｂとの間の段差を埋めて、装着部１０の水平な取り付け姿勢を確保するためのスペーサ部材１００を更に設けることが好ましい。そのようなスペーサ部材１００を設置した状態が図４に示されている。図示のように、被固定部５０の上面５０ｂの端縁に形成される突起５２を埋めるように、スペーサ部材１００を上面５０ｂ上に配置すると、スペーサ部材１００によって、被固定部５０の装着面（上面５０ｂ）を水平状にすることができるため、被固定部５０に対して装着部１０を安定して装着することができる。この場合、スペーサ部材１００は、突起５２の高さに応じて構成することができ、薄いスペーサ部材を複数枚重ねるようにしても良い。
【００３９】
以上、本発明の実施形態について説明したが、本発明は、上記した実施形態に限定されることは無く、種々変形することが可能である。例えば、肘掛け部２１の形状、高さ調整手段７０の構成、装着部１０に対する肘掛け本体２０の接続方法など、適宜変形することが可能である。また、支持アーム３０の構成や、支持アームの回動を規制するための構成（結合部３４と突出部位９３との関係）については、支持アームの回動が規制できれば、適宜変形することが可能である。
【符号の説明】
【００４０】
１  遊技機用肘掛け
１０  装着部
２０  肘掛け本体
２１  肘掛け部
２３  係止片（接続部）
２４  接続部材（接続部）
３０  支持アーム
３３  先端支持部
５０  被固定部
５０ａ  縁部
５０ｃ  下面
５２  突起
７０  止めネジ（高さ調整手段）
９３  連結部の突出部位（回動規制手段）
１００  スペーサ部材
【図１】
2011239874.tif 000003
【図２】
2011239874.tif 000004
【図３】
2011239874.tif 000005
【図４】
2011239874.tif 000006